(57)【要約】【課題】レールの使用部品点数を少なくし、構成の簡略化を図り、安価なごみ収集体を提供する。【解決手段】一対の側壁部２と後壁部３とから構成されている外郭１と、前記一対の側壁部２の上端近傍内面に水平に取り付けられ前後方向に向き一対の側壁部２の後端部から前端部に亘る長さを有するレール４と、一対の側壁部２間の開口部上端および開口部前端を覆う大きさのネット５と、一対の側壁部２間の開口部上端を覆う部分のネット５が一対の側壁部２間の開口部上端を覆う状態でネット５の後端部および前端部さらに前後両端部間の複数箇所でほぼ等間隔おきにネット５に結合されたバー６と、各バー６の両端と嵌合しレール４に沿って移動可能なスライダー８と、一対の側壁部２間の開口部前端を覆う部分のネット５の先端部近傍に結合され両側のレール４間の間隔よりも短いバー２１とからなる。【選択図】図２
2010132363.tif 000002
【特許請求の範囲】
【請求項１】
一対の側壁部と、この一対の側壁部の後端部を閉じる後壁部とから構成されている外郭と、前記一対の側壁部の上端近傍内面に水平に取り付けられ前後方向に向き一対の側壁部の後端部から前端部に亘る長さを有するレールと、一対の側壁部間の開口部上端および一対の側壁部間の開口部前端を覆う大きさの柔軟性のあるネットと、一対の側壁部間の開口部上端を覆う部分のネットが一対の側壁部間の開口部上端を覆う状態でネットの後端部および前端部さらに前後両端部間の複数箇所でほぼ等間隔おきにネットに結合されたバーと、各バーの両端と嵌合するとともに前記レール内に嵌入してレールに沿って移動可能なスライダーと、一対の側壁部間の開口部前端を覆う部分のネットの先端部近傍に結合され両側のレール間の間隔よりも短いバーとからなり、前記一対の側壁部間の開口部上端を覆う部分のネットに結合されたバーの内、ネットの後端部に結合されたバーはレールの後端部に位置固定されていることを特徴とするごみ収集体。
【請求項２】
レールに沿って移動可能なスライダーには棒状嵌入部を備えて、この棒状嵌入部はバーの長さ方向端部に摺動自在に嵌入していることを特徴とする請求項１記載のごみ収集体。
【請求項３】
一対の側壁部の前端内面側で、一対の側壁部間の開口部前端を覆う部分のネットが垂れ下がった状態においてネットの側端部と側壁部との隙間を隠すための隙間隠し部材が取り付けられていることを特徴とする請求項１または２記載のごみ収集体。
【発明の詳細な説明】
【技術分野】
【０００１】
本発明は、例えば、集合住宅などのごみ収集場所に設置されるごみ収集体に関するものである。
【背景技術】
【０００２】
従来のこの種ごみ収集体としては例えば特許文献１に開示されているものが知られている。この特許文献１に開示されているものは、一対の側壁と、これら側壁間を連続する後壁とを備えたゴミ収納体のカバー装置において、上記側壁間の必要面積を覆う大きさを有するネットと、このネットに取り付けられ、上記側壁間に掛け渡す複数のバーと、上記両側壁に設けて、各バーの両端をガイドする一対のレールとを備え、上記バーは、上記レールに沿って移動し、この移動にともなって上記ネットが側壁間の開口を開閉する構成にし、かつ、上記ネットにおける開閉方向の一端を所定の位置に固定するための固定手段を備え、上記レールを、上記側壁の前面開口部内周に固定する前部材と、側壁の上部開口部内周に固定する上部材と、これら前部材と上部材とを連続するコーナー部材とで構成してなるものである。
【特許文献１】特許第３８６４１５９号公報
【発明の開示】
【発明が解決しようとする課題】
【０００３】
上記特許文献１に開示されているゴミ収納体のカバー装置は、側壁間の必要面積を覆う大きさを有するネットに取り付けられ、一対の側壁間に掛け渡す複数の各バーの両端をガイドする一対のレールは、一対の側壁の前面開口部内周に固定する前部材と、側壁の上部開口部内周に固定する上部材と、これら前部材と上部材とを連続するコーナー部材とで構成されており、レールを構成するための使用部品点数が多く、その取り付けに時間も要し、コストアップになるという問題があった。
【０００４】
本発明の目的は、このような課題を解決するものであり、レールの使用部品点数を少なくし、構成の簡略化を図り、安価なごみ収集体を提供することにある。
【課題を解決するための手段】
【０００５】
本発明の請求項１に記載のごみ収集体は、一対の側壁部と、この一対の側壁部の後端部を閉じる後壁部とから構成されている外郭と、前記一対の側壁部の上端近傍内面に水平に取り付けられ前後方向に向き一対の側壁部の後端部から前端部に亘る長さを有するレールと、一対の側壁部間の開口部上端および一対の側壁部間の開口部前端を覆う大きさの柔軟性のあるネットと、一対の側壁部間の開口部上端を覆う部分のネットが一対の側壁部間の開口部上端を覆う状態でネットの後端部および前端部さらに前後両端部間の複数箇所でほぼ等間隔おきにネットに結合されたバーと、各バーの両端と嵌合するとともに前記レール内に嵌入してレールに沿って移動可能なスライダーと、一対の側壁部間の開口部前端を覆う部分のネットの先端部近傍に結合され両側のレール間の間隔よりも短いバーとからなり、前記一対の側壁部間の開口部上端を覆う部分のネットに結合されたバーの内、ネットの後端部に結合されたバーはレールの後端部に位置固定されていることを特徴とする。
【０００６】
請求項２に記載のごみ収集体は、レールに沿って移動可能なスライダーには棒状嵌入部を備えて、この棒状嵌入部はバーの長さ方向端部に摺動自在に嵌入していることを特徴とする。
【０００７】
請求項３に記載のごみ収集体は、一対の側壁部の前端内面側で、一対の側壁部間の開口部前端を覆う部分のネットが垂れ下がった状態においてネットの側端部と側壁部との隙間を隠すための隙間隠し部材が取り付けられていることを特徴とする。
【発明の効果】
【０００８】
以上のように、本発明のごみ収集体は、レールに沿ってバーを移動させることによりネットで一対の側壁部間の開口部上端および一対の側壁部間の開口部前端を覆ったり開いたりすることができる。そして、本発明のごみ収集体は設けられるレールも一対の側壁部の上端近傍内面に水平に取り付けられる部分だけであるので、レールの使用部品点数が少なく、構成の簡略化を図り、安価なごみ収集体を提供することができる。また、スライダーの棒状嵌入部がバーの長さ方向端部に摺動自在に嵌入していることから、例えばバーが長さ方向両端間で傾いた場合、バーの少なくとも何れか一端でバーから棒状嵌入部が引き出される状態となり、レールに嵌っているスライダーにこじれるような力がかかるようなことがなく、バーを正常な状態に容易に復帰させることができる。さらに、一対の側壁部の前端内面側で、一対の側壁部間の開口部前端を覆う部分のネットが垂れ下がった状態においてネットの側端部と側壁部との隙間を隠すための隙間隠し部材を取り付けてあることにより、生ごみを狙った猫などの侵入を防止することができる。
【発明を実施するための最良の形態】
【０００９】
以下、本発明の一実施の形態を、図１〜図１８を用いて具体的に説明する。
図において、ごみ収集体の外郭１は例えば、集合住宅などのごみ収集場所におけるコンクリート床面上でコンクリートブロックを積み上げて作られた一対の側壁部２，２と、この一対の側壁部２，２の後端部を閉じるようにコンクリートブロックを積み上げて作られた後壁部３とから構成されている。
【００１０】
一対の側壁部２，２の上端近傍内面には前後方向に向き一対の側壁部２，２の後端部から前端部に亘る長さのレール４，４が水平に取り付けられている。レール４はアルミ製の型材からなり、各レール４は上下の板部４ａ，４ｂを繋ぐように形成されている一側板部４ｃが側壁部２の内面に当接した状態で前後方向複数箇所でビス止めされて側壁部２の内面に固定されるものである。各レール４の上下の板部４ａ，４ｂに繋がる他側板部４ｄには上下方向の中央部が長さ方向全長に亘って開口部４ｅが形成されている。
【００１１】
５は一対の側壁部２，２間の開口部上端および一対の側壁部２，２間の開口部前端を覆う大きさの柔軟性のあるネットで、合成樹脂などからなり、一対の側壁部２，２間の開口部上端を覆う部分のネット５は側壁部２，２間の開口部上端を覆う状態でネット５の後端部および前端部さらに前後両端部間の複数箇所でほぼ等間隔おきにアルミ製のパイプからなるバー６が水平に取り付けられている。７はネット５にバー６を結合させるための合成樹脂製のホルダーで、Ｃ型を呈しており、ネット５の内面にバー６を当接させた状態でホルダー７をネット５の外側からバー６に嵌め込むことによりネット５とバー６を結合させることができるものである。このネット５とバー６の結合箇所は１本のバー６の長さ方向両端部および長さ方向両端部間の複数箇所でほぼ等間隔おきとなるように設定されている。このようにネット５と結合されたバー６の長さ方向両端には前記両側壁部２，２の内面に取り付けられたレール４，４に嵌りレール４，４に沿って移動可能な合成樹脂製のスライダー８，８が取り付けられる。このスライダー８は前記開口部４ｅの長さ方向に対して直角に向くようにレール４内に嵌入する２本の平行な軸９と、前記バー６の長さ方向端部に互いに摺動自在に嵌入する水平な棒状嵌入部１０と、この棒状嵌入部１０と前記軸９とを繋ぎ前記レール４の開口部４ｅに嵌入してレール４の内外に突出する水平な板部１１とからなり、前記軸９はレール４の内側に位置するように嵌入する板部１１の先端角部に起立して形成されている。なお、板部１１の表裏両面には前記軸９と軸９との間で複数本の互いに平行なリブ１２が突出するように形成されており、このリブ１２が前記レール４の開口部４ｅの下端に載ってスライダー８は前記開口部４ｅの長さ方向に移動するように構成されている。前記棒状嵌入部１０と板部１１との間には棒状嵌入部１０をバー６の端部に嵌入させたときバー６の端面が当接する当接板１３が形成され、また前記棒状嵌入部１０の長さ方向両端部および長さ方向中央部にはバー６の内面に当接する円形の板状部１４が形成され、さらに板状部１４と板状部１４との間の部分は軸芯方向に対して直角な断面形状がほぼ十字型となるようにリブ１５が棒状嵌入部１０の長さ方向に形成されている。このように長さ方向両端にスライダー８が取り付けられたバー６はレール４の長さ方向に移動自在となる。なお、ネット５の後端部に結合されているバー６はレール４の後端部に位置固定されるように、レール４にねじ１６止めによりストッパー１７が取り付けられている。また、前記レール４の前端部は開口しているので、レール４に嵌っているスライダー８がレール４の前端部から抜け外れないようにレール４の前端部に合成樹脂製のキャップ１８が止め金具１９を用いてねじ２０止めにより取り付けられている。
【００１２】
前記一対の側壁部２，２間の開口部前端を覆う部分のネット５は一対の側壁部２，２間の開口部上端を覆う部分のネット５の前端に連続し、ネット５で一対の側壁部２，２間の開口部上端を覆った状態で垂れ下がり下端が地面に接するように構成されている。ネット５を垂れ下がるようにするためにネット５の先端部近傍前面には前記レール４に嵌らないバー２１が前記同様にホルダー７により水平に結合されている。つまり、このバー２１の長さは両側のレール４，４間の間隔よりも短く作られており、バー２１の長さ方向両端にはスライダー８が取り付けられておらず、柔軟性のある合成樹脂製のキャップ２２が被せられている。バー２１の長さ方向中央には取手２３が装着されている。
【００１３】
ところで、図中２４は前記一対の側壁部２，２の前端内面側で、ねじ２５止めにより取り付けられた隙間隠し部材で、軟質合成樹脂により作られている。この隙間隠し部材２４は側壁部２の下端から側壁部２の上下方向中央近辺までの範囲の長さを有し、一対の側壁部２，２間の開口部前端を覆う部分のネット５が垂れ下がった状態においてネット５の側端部と側壁部２との隙間を隠し、生ごみを狙った猫などの侵入を防止するためのものである。
【００１４】
上記構成のごみ収集体は集合住宅などのごみ収集場所に設置され、居住者がごみを捨てる所謂「ごみの日」は、予め前記取手２３を持ってバー２１と一緒に一対の側壁部２，２間の開口部前端を覆う部分のネット５を持ち上げ、一対の側壁部２，２間の開口部を開いた状態にし、持ち上げられた一対の側壁部２，２間の開口部前端を覆う部分のネット５に結合されているバー２１は前記レール４に支持されている前端側２本のバー６，６間のネット５上に載せられ、その状態で前記レール４に支持されている全てのバー６を側壁部２の後端側に位置させることにより図１に示すように側壁部２，２間が上端、前端ともに開かれた状態にされるものである。
【００１５】
ごみ収集体にごみが入った袋を１つでも捨てると、ごみを捨てた人は前記取手２３を持ってバー２１を前の方に引っ張ることにより前記側壁部２の後端部に位置するバー６を除く全てのバー６を側壁部２の前側にレール４に沿って移動させ、ネット５で一対の側壁部２，２間の開口部上端および開口部前端を覆った状態にしておくことにより、猫などにより生ごみが荒されるのを防止できる。次に、ごみが入った袋を捨てる人は、前記取手２３を持ってバー２１を持ち上げ、側壁部２の後端側に位置しているバー６を除く全てのバー６を後方に移動させることによりネット５による覆い部が開かれ、ごみが入った袋を捨てることが容易となる。そして、そのごみを捨てた人は前記同様に取手２３を持ってバー２１を前の方に引っ張ることにより前記側壁部２の後端部に位置するバー６を除く全てのバー６を側壁部２の前側にレール４に沿って移動させ、ネット５で一対の側壁部２，２間の開口部上端および開口部前端を覆った状態にしておくものである。なお、ごみ収集体の奥行きが長い場合で中にごみが入った袋の数が少ないときは図４に示すように一対の側壁部２，２の前後方向の中間位置で一対の側壁部２，２間の開口部前端を覆う部分のネット５を垂らしておくようにしても良い。その場合、垂らしたネット５の両側の隙間から猫などが侵入するのを防止するために一対の側壁部２，２の奥行き（前後方向）の中間位置における内面に前記同様ねじ２５止めにより隙間隠し部材２４を取り付けるようにすれば良い。
【００１６】
ところで、本実施の形態では、バー６とスライダー８の棒状嵌入部１０がバー６の長さ方向に互いに摺動自在となっていることから、例えばバー６が長さ方向両端間で傾いた場合、バー６の少なくとも何れか一端でバー６から棒状嵌入部１０が引き出される状態となり、レール４に嵌っているスライダー８にこじれるような力がかかるようなことがなく、バー６を正常な状態に容易に復帰させることができる。
【００１７】
さらに、上記実施の形態では、ごみ収集体の外郭１はコンクリートブロックを積み上げて作られているが、外郭１はコンクリートブロック以外の他のパネルなどを用いて構成されていても良い。
【図面の簡単な説明】
【００１８】
【図１】本発明の一実施の形態におけるごみ収集体が開かれた状態を示す斜視図である。
【図２】同ごみ収集体がネットで閉じられた状態を示す斜視図である。
【図３】同ごみ収集体が開かれる途中の状態を示す斜視図である。
【図４】同ごみ収集体の中間位置でネットで閉じられた状態を示す斜視図である。
【図５】同各バーとネットとの結合部を示す要部拡大斜視図である。
【図６】同各バーとネットとの結合部を示す要部拡大断面図である。
【図７】同各バーとネットを結合させるためのホルダーの斜視図である。
【図８】同ネットに結合されたバーの移動を案内するレールの拡大断面図である。
【図９】同レールに嵌り込むスライダーの斜視図である。
【図１０】同レールにスライダーが嵌り込んだ状態を示す要部平面図である。
【図１１】同レールにスライダーが嵌り込んだ状態を示す要部正面図である。
【図１２】同スライダーに対しバーが動いた状態を示す要部正面図である。
【図１３】同ネットの後端部に結合されているバーをレールの後端部で位置固定した状態を示す要部平面図である。
【図１４】同レールの前端部を塞ぐキャップの取り付け状態を示す要部平面図である。
【図１５】図１４のＸ−Ｘ断面図である。
【図１６】同レールの前端部を塞ぐキャップの取り付け状態を示す要部側面図である。
【図１７】同側壁部の前端内面側における隙間隠し部材の取り付け状態を前方から見た要部拡大斜視図である。
【図１８】同側壁部の前端内面側における隙間隠し部材の取り付け状態を後方から見た要部拡大斜視図である。
【符号の説明】
【００１９】
１            外郭
２            側壁部
３            後壁部
４            レール
４ａ，４ｂ    板部
４ｃ          一側板部
４ｄ          他側板部
４ｅ          開口部
５            ネット
６            バー
７            ホルダー
８            スライダー
９            軸
１０            棒状嵌入部
１１            板部
１２            リブ
１３            当接板
１４            板状部
１５            リブ
１７            ストッパー
１８            キャップ
２１            バー
２２            キャップ
２３            取手
２４            隙間隠し部材
【図１】
2010132363.tif 000003
【図２】
2010132363.tif 000004
【図３】
2010132363.tif 000005
【図４】
2010132363.tif 000006
【図５】
2010132363.tif 000007
【図６】
2010132363.tif 000008
【図７】
2010132363.tif 000009
【図８】
2010132363.tif 000010
【図９】
2010132363.tif 000011
【図１０】
2010132363.tif 000012
【図１１】
2010132363.tif 000013
【図１２】
2010132363.tif 000014
【図１３】
2010132363.tif 000015
【図１４】
2010132363.tif 000016
【図１５】
2010132363.tif 000017
【図１６】
2010132363.tif 000018
【図１７】
2010132363.tif 000019
【図１８】
2010132363.tif 000020